(57)【特許請求の範囲】
【請求項１】
記録媒体にメディアコンテンツを書き込んでパッケージメディアを製造するシステムであってサーバに格納され、またはサーバと情報伝達可能な状態の音声および/または映像コンテンツを含むイメージファイル化されてなるメディアコンテンツを蓄積してなるメディアコンテンツデータベースおよび記録媒体表面に表すレーベルデータを蓄積してなるレーベルデータベースと、
所望のメディアコンテンツを特定するデータを入力するメディアコンテンツ特定手段と、前記メディアコンテンツ特定手段で入力されたデータを前記サーバに伝達する伝達手段を有する生産操作端末と、
前記メディアコンテンツを特定するデータを受け付ける手段と、前記メディアコンテンツを特定するデータに基づいて前記コンテンツデータベースよりメディアコンテンツを抽出するメディアコンテンツ抽出手段と、前記メディアコンテンツを特定するデータ基づいて前記レーベルデータベースよりレーベルデータを抽出するレーベルデータ抽出手段と、前記抽出されたメディアコンテンツと前記抽出されたレーベルデータをパッケージメディア製造装置に伝達する伝達手段を有する前記サーバの中央処理装置と、
前記サーバより伝達された前記メディアコンテンツと前記レーベルデータを受け付ける手段と、前記メディアコンテンツと前記レーベルデータを保存する手段と、前記メディアコンテンツを記録媒体に書き込む手段と、前記レーベルデータを前記記録媒体表面に印刷する印刷手段を有するパッケージメディア製造装置を備え、
前記サーバは、前記メディアコンテンツを抽出したこと、またはパッケージメディア製造装置に伝達したことについての履歴を蓄積する手段と、前記メディアコンテンツを特定するデータに対応する前記メディアコンテンツが前記パッケージメディア製造装置に伝達されたことの履歴の有無を確認する手段を有し、履歴が無い前記メディアコンテンツおよび前記レーベルデータを抽出し、前記パッケージメディア製造装置に伝達するとともに、
前記パッケージメディア製造装置は、メディアコンテンツを記録媒体に書き込む手段を動作可能とするオペレーションキーを前記サーバより取得するオペレーションキー取得手段を有し、前記記録媒体へのメディアコンテンツの書き込み動作毎に前記オペレーションキーを取得するとともに、前記サーバまたは/および前記パッケージメディア製造装置は、オペレーションキーのダウンロード数をカウントするカウント手段を有することを特徴とするパッケージメディア製造装置を用いたパッケージメディア受注・製造システム。
【請求項２】
サーバに格納され、またはサーバと情報伝達可能に構築されてなり、パッケージケースにセットされるジャケットシートに表されるジャケットデータを蓄積してなるジャケットデータベースと、
メディアコンテンツを特定するデータに基づいて前記ジャケットデータベースよりジャケットデータを抽出するジャケットデータ抽出手段と、前記抽出されたジャケットデータをパッケージメディア製造装置に伝達する手段を有する前記サーバの中央処理装置と、
前記伝達されたジャケットデータをジャケットシートに印刷する印刷手段を有することを特徴とする請求項１に記載のパッケージメディア製造装置を用いたパッケージメディア受注・製造システム。
【請求項３】
サーバは、メディアコンテンツを抽出する毎に、または、パッケージメディア製造装置に伝達する毎に、メディアコンテンツ毎に付与されるメディアコンテンツＩＤと、パッケージメディア製造装置毎に付与されデュプリケータＩＤを蓄積することによりダウンロード履歴を蓄積する履歴蓄積手段と、履歴の有無を確認する履歴確認手段を有し、履歴無しとの演算結果を条件として、メディアコンテンツ抽出手段はメディアコンテンツを抽出し、レーベルデータ抽出手段はレーベルデータを抽出するとともに、前記メディアコンテンツおよび前記レーベルデータをパッケージメディア製造装置に伝達することを特徴とする請求項１または２に記載のパッケージメディア製造装置を用いたパッケージメディア受注・製造システム。
【請求項４】
サーバに格納され、またはサーバと情報伝達可能な状態に構築されるメディアコンテンツ毎のパッケージメディアの在庫数を蓄積してなる在庫データベースを有し、前記サーバの中央処理装置は、前記メディアコンテンツを特定するデータに基づいて、前記在庫データベースにおける前記パッケージメディアの在庫の有無または在庫数が所定数以下あるいは所定数以上であるかを演算する手段と、前記パッケージメディアの在庫無しまたは在庫数が所定数以下との演算結果を条件として、メディアコンテンツ抽出手段はメディアコンテンツを抽出し、レーベルデータ抽出手段はレーベルデータを抽出するとともに、前記メディアコンテンツおよび前記レーベルデータをパッケージメディア製造装置に伝達することを特徴とする請求項１乃至３のいずれかに記載のパッケージメディア製造装置を用いたパッケージメディア受注・製造システム。
【請求項５】
サーバに格納され、またはサーバと情報伝達可能な状態に構築されるメディアコンテンツ毎のパッケージメディアの在庫数を蓄積してなる在庫データベースを有し、前記サーバの中央処理装置は、前記メディアコンテンツを特定するデータに基づいて、前記在庫データベースにおける前記パッケージメディアの在庫の有無または在庫数が所定数以下あるいは所定数以上であるかを演算する手段と、前記パッケージメディアの在庫有りまたは在庫数が所定数以上との結果が得られたことを条件として、前記メディアコンテンツを特定するデータに基づいて在庫パッケージメディア発注指示を発注手段により倉庫端末に伝達する手段を有することを特徴とする請求項１乃至４のいずれかに記載のパッケージメディア製造装置を用いたパッケージメディア受注・製造システム。
【請求項６】
メディアコンテンツは、暗号化された状態でメディアコンテンツデータベースに蓄積されてなり、パッケージメディア製造装置は暗号化されたメディアコンテンツを復号化する手段を有することを特徴とする請求項１乃至５のいずれかに記載のパッケージメディア製造装置を用いたパッケージメディア受注・製造システム。
【請求項７】
サーバは、オペレーションキーのダウンロード数を焼付け枚数として報告する手段を有することを特徴とする請求項１乃至６のいずれかに記載のパッケージメディア製造装置を用いたパッケージメディア受注・製造システム。
【請求項８】
サーバは、メディアコンテンツ抽出手段により前記メディアコンテンツが抽出される毎に、あるいはメディアコンテンツがパッケージメディア製造装置に伝達される毎に前記メディアコンテンツに関連づけられてなるコンテンツホルダーＩＤに対応するコンテンツホルダー端末にメディアコンテンツ製造報告を伝達することを特徴とする請求項１乃至７のいずれかに記載のパッケージメディア製造装置を用いたパッケージメディア受注・製造システム。
【請求項９】
生産操作端末は、所望の記録媒体の種類を特定する記録媒体特定手段と、前記記録媒体特定手段により特定された記録媒体データを前記パッケージメディア製造装置に伝達する手段を有し、前記パッケージメディア製造装置は、前記受け付けた記録媒体データに対応する記録媒体にメディアコンテンツを書き込む手段を有することを特徴とする請求項１乃至８のいずれかに記載のパッケージメディア製造装置を用いたパッケージメディア受注・製造システム。
【請求項１０】
前記生産操作端末は、所望の記録媒体の種類を特定する記録媒体特定手段と、前記記録媒体特定手段により特定された記録媒体データをサーバに伝達する手段を有し、前記サーバは前記記録媒体データに対応するメディアコンテンツを抽出する手段を有し、前記パッケージメディア製造装置は、前記サーバより受け付けたメディアコンテンツに対応する書き込み方式により前記メディアコンテンツを前記記録媒体に書き込む手段を有することを特徴とする請求項１乃至９のいずれかに記載のパッケージメディア製造装置を用いたパッケージメディア受注・製造システム。
【請求項１１】
記録媒体には、記録媒体毎に付与されるシリアル番号を記録してなることを特徴とする請求項１乃至１０のいずれかに記載のパッケージメディア製造装置を用いたパッケージメディア受注・製造システム。
【請求項１２】
記録媒体は、ＣＤ（Compact Disc）、ＤＶＤ（Digital Versatile Disc）、青紫色半導体レーザ光記録ディスク、ＨＶＤ（Holographic Versatile Disc）の少なくもいずれかの光ディスクであることを特徴とする請求項１乃至１１のいずれかに記載のパッケージメディア製造装置を用いたパッケージメディア受注・製造システム。
【発明の詳細な説明】
【技術分野】
【０００１】
本発明は、消費者からの実店舗またはインターネット店舗への発注に応じて録音・録画済みＤＶＤ（Digital Versatile Disc）、録音・録画済み青紫色半導体レーザ光記録ディスク（Blu-ray Disc（登録商標）と呼ばれる。）等のパッケージメディアを発注に応じて製造するパッケージメディア製造装置を用いたパッケージメディア受注・製造システムに関するものである。
【背景技術】
【０００２】
録音・録画済みのＤＶＤ、青紫色半導体レーザ光記録ディスク等を製作し流通販売させる一連のパッケージメディア流通事業は、コンテンツを制作する制作者、コンテンツを製作する映画製作会社や音楽出版社等のコンテンツホルダー、ＤＶＤ、青紫色半導体レーザ光記録ディスク等のパッケージメディアにコンテンツを書き込み、ディスクにタイトルや図等のレーベルを印字し、さらにタイトルや歌詞を印刷したジャケットをケースにセットして、完成パッケージメディアを製造するパッケージメディア製造者等から構成されるメーカーと、出来上がったパッケージメディアを買い付けて消費者に販売する対面式あるいは通信販売による販売店から構成されている。しかしながら、コンテンツホルダーは、販売店からの受注を予測してタイトル毎かつパッケージメディア毎の製造枚数を決め、この数に基づいてパッケージメディアに映像メディアコンテンツや音声メディアコンテンツを書き込む。一方で販売店も消費者の購入を予測して各タイトル、各パッケージ毎の買い付け枚数を決め、この数に基づいてコンテンツホルダーにパッケージメディアを発注する。しかしながら、予想に反して販売数が伸びない場合には、メーカーと販売店双方でパッケージの過剰在庫を抱えやすく、反対に販売数が伸びた場合には在庫が不足するという問題があった。また、販売店はコンテンツホルダー毎にパッケージメディアの発注をする作業が繁雑であった。
【０００３】
また、パッケージメディアの種類には、ＤＶＤ、青紫色半導体レーザ光記録ディスク等に代表されるように、そのメモリデータ量、書き込み・読み取り方式等の違いから様々な媒体がある。このようにパッケージの種類が複数存在する場合、ある一つの作品に対してＤＶＤパッケージ版と、青紫色半導体レーザ光記録ディスクパッケージ版のように複数のパッケージ版のパッケージメディアを販売するため、同一の作品に対して複数のパッケージを用意する必要があり、これも販売店あるいはパッケージメディア製造者あるいはコンテンツホルダーが過剰在庫を抱える一つの原因となっていた。
【０００４】
さらには、一般にパッケージメディアの購入者は、絶版になったコンテンツ、希少価値の高いコンテンツ、マイナーレーベルから出版されるコンテンツ等に代表される製造ロット数の少ないパッケージメディアを求める傾向がある。しかしながら、従来のパッケージメディア流通事業においてパッケージメディア製造者が媒体のコンテンツを書き込む場合には最低でも数百枚、数千枚ときには数万枚を１ロットとして製造することとなるため、過剰在庫を抱える事態を回避する観点からも１枚や数枚等の小ロットのオーダーに応えることは難しかった。
【０００５】
パッケージメディアを提供するシステムとして特許文献１、２所載のシステムがあるが、このシステムは、ユーザーが所望する複数のコンテンツを選びこれらコンテンツが編集・集約された上でパッケージメディアに書き込まれる、いわゆるカスタマイズドディスク、オリジナルディスクと言われるパッケージメディアを提供するシステムであり、ユーザーからの選択リストに応じてコンテンツを編集してパッケージメディアを作るためのシステムである。また、特許文献３は在庫管理システムであり、特許文献４は本発明において想定されるパッケージメディアの例である。
【先行技術文献】
【特許文献】
【０００６】
【特許文献１】特開２００６−２６０４７１号公報
【特許文献２】特開２００４−１０９５０１号公報
【特許文献３】特開２００８−４０９２０号公報
【特許文献４】特表２００５−５０２１５２号公報
【発明の開示】
【発明が解決しようとする課題】
【０００７】
そこで本発明は、録音・録画済みのＤＶＤや、青紫色半導体レーザ光記録ディスク等のパッケージメディアを製作・製作し流通販売させる一連のパッケージメディア流通事業において、パッケージメディアを消費者からの発注に応じて製造することができるパッケージメディア製造装置を用いたパッケージメディア受注・製造システムを提供することを目的とする。
【課題を解決するための手段】
【０００８】
上記目的を達成するため本発明のパッケージメディア製造装置を用いたパッケージメディア受注・製造システムは、記録媒体にメディアコンテンツを書き込んでパッケージメディアを製造するシステムであってサーバに格納され、またはサーバと情報伝達可能な状態の音声および/または映像コンテンツを含むイメージファイル化されてなるメディアコンテンツを蓄積してなるメディアコンテンツデータベースおよび記録媒体表面に表すレーベルデータを蓄積してなるレーベルデータベースと、
所望のメディアコンテンツを特定するデータを入力するメディアコンテンツ特定手段と、前記メディアコンテンツ特定手段で入力されたデータを前記サーバに伝達する伝達手段を有する生産操作端末と、前記メディアコンテンツを特定するデータを受け付ける手段と、前記メディアコンテンツを特定するデータに基づいて前記コンテンツデータベースよりメディアコンテンツを抽出するメディアコンテンツ抽出手段と、前記メディアコンテンツを特定するデータ基づいて前記レーベルデータベースよりレーベルデータを抽出するレーベルデータ抽出手段と、前記抽出されたメディアコンテンツと前記抽出されたレーベルデータをパッケージメディア製造装置に伝達する伝達手段を有する前記サーバの中央処理装置と、
前記サーバより伝達された前記メディアコンテンツと前記レーベルデータを受け付ける手段と、前記メディアコンテンツと前記レーベルデータを保存する手段と、前記メディアコンテンツを記録媒体に書き込む手段と、前記レーベルデータを前記記録媒体表面に印刷する印刷手段を有するパッケージメディア製造装置を備え、
前記サーバは、前記メディアコンテンツを抽出したこと、またはパッケージメディア製造装置に伝達したことについての履歴を蓄積する手段と、前記メディアコンテンツを特定するデータに対応する前記メディアコンテンツが前記パッケージメディア製造装置に伝達されたことの履歴の有無を確認する手段を有し、履歴が無い前記メディアコンテンツおよび前記レーベルデータを抽出し、前記パッケージメディア製造装置に伝達するとともに、
前記パッケージメディア製造装置は、メディアコンテンツを記録媒体に書き込む手段を動作可能とするオペレーションキーを前記サーバより取得するオペレーションキー取得手段を有し、前記記録媒体へのメディアコンテンツの書き込み動作毎に前記オペレーションキーを取得するとともに、前記サーバまたは/および前記パッケージメディア製造装置は、オペレーションキーのダウンロード数をカウントするカウント手段を有することを特徴とする。
【０００９】
また本発明の他の形態は、サーバに格納され、またはサーバと情報伝達可能に構築されてなり、パッケージケースにセットされるジャケットシートに表されるジャケットデータを蓄積してなるジャケットデータベースと、
メディアコンテンツを特定するデータに基づいて前記ジャケットデータベースよりジャケットデータを抽出するジャケットデータ抽出手段と、前記抽出されたジャケットデータをパッケージメディア製造装置に伝達する手段を有する前記サーバの中央処理装置と、
前記伝達されたジャケットデータをジャケットシートに印刷する印刷手段を有することを特徴とする。
【００１０】
サーバは、メディアコンテンツを抽出する毎に、または、パッケージメディア製造装置に伝達する毎に、メディアコンテンツ毎に付与されるメディアコンテンツＩＤと、パッケージメディア製造装置毎に付与されデュプリケータＩＤを蓄積することによりダウンロード履歴を蓄積する履歴蓄積手段と、履歴の有無を確認する履歴確認手段を有し、履歴無しとの演算結果を条件として、メディアコンテンツ抽出手段はメディアコンテンツを抽出し、レーベルデータ抽出手段はレーベルデータを抽出するとともに、前記メディアコンテンツおよび前記レーベルデータをパッケージメディア製造装置に伝達することを特徴とする。
【００１１】
サーバに格納され、またはサーバと情報伝達可能な状態に構築されるメディアコンテンツ毎のパッケージメディアの在庫数を蓄積してなる在庫データベースを有し、前記サーバの中央処理装置は、前記メディアコンテンツを特定するデータに基づいて、前記在庫データベースにおける前記パッケージメディアの在庫の有無または在庫数が所定数以下あるいは所定数以上であるかを演算する手段と、前記パッケージメディアの在庫無しまたは在庫数が所定数以下との演算結果を条件として、メディアコンテンツ抽出手段はメディアコンテンツを抽出し、レーベルデータ抽出手段はレーベルデータを抽出するとともに、前記メディアコンテンツおよび前記レーベルデータをパッケージメディア製造装置に伝達することを特徴とする。
【００１２】
サーバに格納され、またはサーバと情報伝達可能な状態に構築されるメディアコンテンツ毎のパッケージメディアの在庫数を蓄積してなる在庫データベースを有し、前記サーバの中央処理装置は、前記メディアコンテンツを特定するデータに基づいて、前記在庫データベースにおける前記パッケージメディアの在庫の有無または在庫数が所定数以下あるいは所定数以上であるかを演算する手段と、前記パッケージメディアの在庫有りまたは在庫数が所定数以上との結果が得られたことを条件として、前記メディアコンテンツを特定するデータに基づいて在庫パッケージメディア発注指示を発注手段により倉庫端末に伝達する手段を有することを特徴とする。
【００１３】
メディアコンテンツは、暗号化された状態でメディアコンテンツデータベースに蓄積されてなり、パッケージメディア製造装置は暗号化されたメディアコンテンツを復号化する手段を有することを特徴とする。
【００１４】
サーバは、オペレーションキーのダウンロード数を焼付け枚数として報告する手段を有することを特徴とする。
【００１５】
サーバは、メディアコンテンツ抽出手段により前記メディアコンテンツが抽出される毎に、あるいはメディアコンテンツがパッケージメディア製造装置に伝達される毎に前記メディアコンテンツに関連づけられてなるコンテンツホルダーＩＤに対応するコンテンツホルダー端末にメディアコンテンツ製造報告を伝達することを特徴とする。
【００１６】
生産操作端末は、所望の記録媒体の種類を特定する記録媒体特定手段と、前記記録媒体特定手段により特定された記録媒体データを前記パッケージメディア製造装置に伝達する手段を有し、前記パッケージメディア製造装置は、前記受け付けた記録媒体データに対応する記録媒体にメディアコンテンツを書き込む手段を有することを特徴とする。
【００１７】
前記生産操作端末は、所望の記録媒体の種類を特定する記録媒体特定手段と、前記記録媒体特定手段により特定された記録媒体データをサーバに伝達する手段を有し、前記サーバは前記記録媒体データに対応するメディアコンテンツを抽出する手段を有し、前記パッケージメディア製造装置は、前記サーバより受け付けたメディアコンテンツに対応する書き込み方式により前記メディアコンテンツを前記記録媒体に書き込む手段を有することを特徴とする。
【００１８】
記録媒体には、記録媒体毎に付与されるシリアル番号を記録してなることを特徴とする。
【００１９】
記録媒体は、ＣＤ（Compact Disc）、ＤＶＤ（Digital Versatile Disc）、青紫色半導体レーザ光記録ディスク、ＨＶＤ（Holographic Versatile Disc）の少なくもいずれかの光ディスクであることを特徴とする。
【発明の効果】
【００２０】
本発明によれば、マスターメディアコンテンツと同等あるいは同程度の高品質のコンテンツメディアを書き込んでなる記録媒体であって表面にレーベルデータを表してなる完成品のパッケージメディアを受注に応じて製造することができ、例えば完成品のパッケージメディアの小ロット製造にも対応することができる。
【図面の簡単な説明】
【００２１】
【図１】本発明の第１の実施の形態のシステム模式図である。
【図２】本発明の第１の実施の形態のシステムに用いるパッケージメディア製造装置の模式図である。
【図３】本発明第１の実施の形態のフローチャートを含むブロック図である。
【図４】本発明の第２の実施の形態のシステムに用いるパッケージメディア製造装置の模式図である。
【図５】本発明の第１の実施の形態と第２の実施の形態の複合システムの模式図である。
【図６】本発明の第３の実施の形態のシステム模式図である。
【図７】本発明の第３の実施の形態のシステムに用いるパッケージメディア製造装置の模式図である。
【図８】本発明の第３の実施の形態のシステムのフローチャートを含むブロック図である。
【図９】本発明のシステムの動作概要図である。
【図１０】本発明の他のシステム模式図である。
【図１１】本発明のシステムに用いるメディアデュプリケータの参考図である。
【発明を実施するための形態】
【００２２】
本発明のシステムは、消費者あるいはレコード店などのパッケージメディア販売店等、発注者からの発注にしたがって、録音・録画済みＤＶＤや青紫色半導体レーザ光記録ディスク等のパッケージメディアを製造するためのシステムである。
【００２３】
（第１の実施の形態）
図１に示す、本発明のパッケージメディア製造装置を用いたパッケージメディア受注・製造システム１(以下、単にシステム１という。)は、パッケージメディアの販売店、パッケージメディアのデュプリケータ工場、データ管理センター等所望の場所に設置されてなるセンターサーバ４と、販売店、デュプリケータ工場等所望の場所に設置されメディアコンテンツを選択するためのＰＣあるいは専用端末である生産操作端末２と、記録媒体にメディアコンテンツを書き込むとともに記録媒体表面にレーベルデータを印刷するパッケージメディア製造装置３を備えてなる。センターサーバ４、生産操作端末２、パッケージメディア製造装置３は、インターネット等のネットワーク、専用回線、あるいはケーブルにより情報伝達可能に接続されている。さらに、本発明のシステム１において、メディアコンテンツのデータベース化段階とコンテンツホルダーへ、パッケージメディアの製造枚数等の情報をフィードバックするフィードバック段階もシステムの一部として構築する場合には、コンテンツホルダーからメディアコンテンツファイルを送信するコンテンツ提供端末９とフィードバックデータを受け付けるコンテンツホルダー端末（不図示）も構成に加えることができる。
【００２４】
センターサーバ４には、ＣＰＵ、ＲＡＭ等が搭載されている。また、センターサーバ４に格納あるいは情報伝達可能な状態にあるストレージデバイスとしてのハードディスクドライブに音声および／または映像コンテンツを含むイメージファイル化されてなるメディアコンテンツとしてのＤＶＤデータが蓄積されてなるコンテンツデータベース（ＤＢ１）、記録媒体の表面に印刷される文字・図形等の画像データであるレーベルデータが蓄積されてなるレーベルデータベース（ＤＢ２）あるいは必要に応じて設けられるジャケットシートの表面に印刷される文字・図形等の画像データであるジャケットデータが蓄積されてなるジャケットデータベース（ＤＢ３）等のデータベース群５が構築されている。生産操作端末２から伝達される指示に基づいて、ＣＰＵの制御によりデータベース群５よりコンテンツを抽出してパッケージメディア製造装置４へ伝達するようになっている。
【００２５】
生産操作端末２は、キーボード等の入力手段、そのモニター、センターサーバ４への伝達手段を備えてなるコンピュータである。生産操作端末２は、モニターにセンターサーバ４に蓄積されているメディアコンテンツのリストを表示するようになっており、入力者はこのリストから所望のタイトルを選択して入力しセンターサーバ４へデータ送信するようになっている。
【００２６】
図２に示すパッケージメディア製造装置３は、記録媒体であるＤＶＤの搬送制御、ＤＶＤデータの書き込み制御等を行うＣＰＵ等を備えた制御装置としてのコントロール端末３０と、センターサーバ４からダウンロードされるメディアコンテンツ、レーベルデータ等を記憶するＨＤＤやメモリ等の記憶装置(不図示)と、データ書き込み前のブランク状態のＤＶＤ６を収納するブランクディスク収納部３２と、データ書き込み後のＤＶＤ６を排出し収納する完成ディスク収納部３５と、ＤＶＤ６をブランクディスク収納部３２からデータ書き込み位置、完成ディスク収納部３５へ搬送する搬送手段(不図示)と、ＤＶＤ６に対してデータ書き込みを行う光学ＤＶＤヘッド３４とを備えているＤＶＤデュプリケータ３１、およびＤＶＤデュプリケータ３１と情報伝達可能に接続されジャケットシートにジャケットデータを印刷するプリンタ３９を備えている。尚、コントローラー端末３０とプリンタ３９はデュプリケータ３１に組み込んでもよく装置の構成は多様である。光学ＤＶＤヘッド３４は、レーザ光を出力するためのレーザーダイオード、レンズ部などからなる光学書き込み部とディテクタ部を備えてなる。また、また、パッケージメディア製造装置３には、ＩＳＯファイル化されたメディアコンテンツを記録媒体に書き込むためのライターソフト（Burnerソフト）をあらかじめ記憶領域にインストールしてあり、このライターソフトの制御によりメディアコンテンツの書き込みが行われるようになっている。以上が本発明のシステム１に用いられる装置である。
【００２７】
本発明のシステム１の前段階として、メディアコンテンツのデータベース化段階について説明する。このメディアコンテンツ等のデータベース化は、本発明のシステム１に付随するシステムとして自動で行うこともできるし、手動で行うことができることはいうまでもない。データベース化段階において、コンテンツホルダーから提供されるデータは、録音・録画済みの記録媒体の完成品を形成するオリジナルマスターデータからイメージファイル化された、具体的には、ＩＳＯイメージファイル化されたメディアコンテンツとしてのＤＶＤデータ、記録媒体の表面に印刷されるレーベルデータ、ジャケットシートに印刷されるジャケットデータがセンターサーバ４のデータベース群５に蓄積される。ＤＶＤデータ、レーベルデータ、ジャケットデータからなるコンテンツデータには、タイトル毎に共通のまたは共通の部分を有するＩＤが付与されていて、このＩＤに関連づけられてパッケージメディアを製造するためのコンテンツデータ一揃いが抽出されるようになっている。尚、ＩＳＯイメージファイルとは、国際標準化機構の定義した形式の光ディスク用アーカイブファイルの形式であり、ＩＳＯ９６００ファイルシステムやＵＤＦファイルシステムが広く知られている。尚、メディアコンテンツは必ずしもＩＳＯイメージファイル化する必要はないが、ＩＳＯイメージファイル化したＤＶＤデータはパッケージメディアに書き込んだときマスターデータと同等あるいは、同程度の高品質のメディアコンテンツとして書き込むことができ、映像コンテンツファイルと音声コンテンツファイルを一つのファイルとして記憶でき、さらにはＤＶＤデュプリケータ３１に複数のメディアコンテンツを記憶しておくことができるため本発明のシステム１に適している。
【００２８】
また、コンテンツデータには、コンテンツホルダー、監督名・出演者名・本編の時間・あらすじ毎のタグであって、ＤＶＤデータ、レーベルデータ、あるいはジャケットデータを抽出するためのタグとなるメタデータが付与された状態で蓄積される。また、ＤＶＤデータを暗号化して蓄積する場合には、メディアコンテンツ暗号化のためのディスクキー、タイトルキー等の暗号キーが暗号キーデータベース（不図示）に蓄積される。
【００２９】
例えば、映画「ローマの休日」のＤＶＤデータをデータベースにアップロードする際に、メディアコンテンツ、レーベルデータ、ジャケットデータには、共通のメディアコンテンツＩＤまたはＩＤに共通の部分を有するＩＤが付与された状態でデータベースに蓄積される。同様に別の映画「８０日間世界一周」には「ローマの休日」とは異なるＩＤが付与された状態で蓄積される。そしてＣＰＵの抽出手段はこのＩＤを手がかりにメディアコンテンツ、レーベルデータあるいはジャケットデータを抽出するようになっている。また、監督名毎、出演者毎、あるいはコンテンツホルダー毎のメタデータから抽出することもできるようになっている。
【００３０】
次に図３に基づいてシステム１の制御と動作について説明する。まず、生産操作端末２のメディアコンテンツ特定手段について説明する。このメディアコンテンツ特定手段は、入力手段によりＤＶＤ作品を選択することによりこのタイトルに対応するメディアコンテンツＩＤが入力され、メディアコンテンツＩＤをセンターサーバ４に伝達する手段である。尚、ここでいうタイトルとは、メディアコンテンツを特定するためのタイトルであり、映画の題号を直接的に指すものではない、したがって同じ映画の題号であっても、完全版や特典版のように複数のタイトルが存在することがある。また、メディアコンテンツ特定手段のメディアコンテンツの選択には、メディアコンテンツＩＤを選択する手段の他メタデータに対応させる選択の仕方を採用してもよい。
【００３１】
センターサーバ４のＣＰＵの動作について説明する。ＣＰＵは、生産操作端末２からメディアコンテンツ特定手段で入力されたメディアコンテンツＩＤを受け付ける手段によりこのデータを受け付ける、このデータを受け付けたことをスタートとして、該データに含まれるメディアコンテンツＩＤに基づいて、メディアコンテンツデータベース（ＤＢ１）よりメディアコンテンツを抽出する。また、同様に、レーベルデータベース（ＤＢ２）よりレーベルデータを抽出する。さらに、ジャケットッデータベース（ＤＢ３）よりジャケットデータを抽出する。そしてこれら抽出したデータをパッケージメディア製造装置３に伝達するようになっている。
【００３２】
次に、パッケージメディア製造装置３の動作について説明する。センターサーバ４からメディアコンテンツとしてのＤＶＤデータがダウンロードされると、ダウンロードされたＩＳＯイメージ化されたＤＶＤデータは、ＤＶＤデュプリケータ３４のＨＤＤに一時的あるいは恒久的に保存される。また、レーベルデータもメモリに一時的あるいは恒久的に保存される。メディアコンテンツのダウンロード信号を入力信号として、あるいはコントロール端末３０からのスタート信号を入力信号として、ＤＶＤ搬送手段が起動し、ＤＶＤ６は光学ヘッドのデータ書き込み位置に搬送され、書き込み制御手段が起動し、ＨＤＤに記憶されたＤＶＤデータが抽出されて光学ＤＶＤヘッド３４によりＤＶＤ６に書き込まれる。これと前後してあるいはこれと同時に書き込まれるメディアコンテンツとＩＤを同じくする（対になる）レーベルデータがメモリより抽出されてプリンタ３３によりＤＶＤ６の表面６１に印刷される。さらに、ジャケットデータがメモリに一時的あるいは継続的に保存されている場合には、ＤＶＤデータとメディアコンテンツＩＤを同じくし、ＤＶＤデータと対になるジャケットデータがメモリより抽出されて、プリンタ３９によりプリンタ３９にセットされたジャケットシート７に印刷されるようになっている。最終的には、デュプリケータ工場あるいは販売店では、完成品のＤＶＤ６とジャケットシート７をセットにして完成品メディアパッケージとして消費者に提供する。
【００３３】
（第２の実施の形態）
本発明の第２の実施の形態を説明する。第２の実施の形態は、コンテンツデータベースに蓄積されるメディアコンテンツが紫色半導体レーザーデータ（以下、ＢＤデータという。）であり、記憶媒体が青紫色半導体レーザ光記録ディスク（以下、ＢＤという。）であり、パッケージメディア製造装置３０１を構成するデュプリケータが青紫色半導体レーザ光記録ディスク書き込みヘッド３６(以下、ＢＤヘッドという。)を搭載したＢＤデュプリケータ３７である点が、システム１と相違するパッケージメディア製造装置を用いたパッケージメディア受注・製造システムである。
【００３４】
生産操作端末２は、キーボード等の入力手段、モニター、センターサーバ４への伝達手段を備えてなるコンピュータである。生産操作端末２は、モニターにセンターサーバ４に蓄積されているメディアコンテンツのリストを表示するようになっており、入力者はこのリストから所望のタイトルを選択して入力することができるようになっている。生産操作端末２は、パッケージメディア製造装置３を通じてセンターサーバ４に、またはセンターサーバ４と直接接続されている。
【００３５】
図４に示すパッケージメディア製造装置３０１は、記録媒体であるＢＤ８の搬送制御、ＢＤデータの書き込み制御等を行うＣＰＵ等を備えた制御装置としてのコントロール端末３０と、センターサーバ４からダウンロードされるメディアコンテンツ、レーベルデータ等を記憶するＨＤＤやメモリ等の記憶装置(不図示)と、データ書き込み前のブランク状態のＢＤ８を収納するブランクディスク収納部３２と、データ書き込み後のＢＤ８を排出し収納する完成ディスク収納部３５と、ＢＤ８をブランクディスク収納部３２からデータ書き込み位置、完成ディスク収納部３５へ搬送する搬送手段(不図示)と、ＢＤ８に対してデータ書き込みを行う光学ＢＤヘッド３６を備えてなるＢＤデュプリケータ３７と、ＢＤデュプリケータ３７と情報伝達可能に接続されジャケットシートにジャケットデータを印刷するプリンタ３９を備えている。尚、コントローラー端末３０とプリンタ３９はＢＤデュプリケータ３７に組み込んでもよく装置の構成は多様である。光学ＢＤヘッド３４は、レーザ光を出力するためのレーザーダイオード、レンズ部などからなる光学書き込み部とディテクタ部を備えてなる。また、パッケージメディア製造装置３０１には、ＩＳＯファイル化されたメディアコンテンツを記録媒体に書き込むためのライターソフト（Burnerソフト）をあらかじめ記憶領域にインストールしてあり、このライターソフトの制御によりメディアコンテンツの書き込みが行われる。以上が本発明のシステムに用いられる装置の説明である。尚、センターサーバ４へのメディアコンテンツの蓄積と、生産操作端末２からのメディアコンテンツ特定、センターサーバ４への伝達、センターサーバ４からパッケージメディア製造装置３０１へのデータのダウンロードの制御動作は、第１の実施の形態のシステム１と同様であるため省略する。
【００３６】
また、図５に示す変形例のように、第１の実施の形態と第２の実施の形態のシステムを両方備えてなる複合的なシステムとしてもよい。このシステムでは、ＤＶＤデュプリケータ３１とＢＤデュプリケータ８１それぞれのパッケージメディア製造装置と、ＤＶＤデータとＢＤデータそれぞれのデータベースをセンターサーバ４に設ける。生産操作端末２は、メディアコンテンツＩＤの入力手段に加えて、記録媒体を選択する手段も備えてなり、記録媒体を選択する手段により選択された記録媒体の種類はセンターサーバ４に伝達される。センターサーバ４は、記録媒体の種類に対応する方式のＤＶＤデータあるいはＢＤデータを記録媒体の種類に対応する方式のパッケージメディア製造装置に伝達すするようになっている。
【００３７】
（第３の実施の形態）
この実施の形態の変形例として、ＤＶＤデュプリケータとＢＤデュプリケータのハイブリット型のパッケージメディア製造装置３０２を用いるシステム１１について説明する。このシステム１１は、ＤＶＤ６とＢＤ８の書き込み方式に共通のメディアコンテンツをパッケージメディア製造装置３０２にダウンロードさせ、記録媒体の選択に応じて所望の記録媒体にデータを書き込ませるシステムである。
【００３８】
図６に示す、本発明のパッケージメディア製造装置を用いたパッケージメディア受注・製造システム１１(以下、単にシステムという。)は、パッケージメディアの販売店、パッケージメディアのデュプリケータ工場、データ管理センター等所望の場所に設置されるセンターサーバ４、販売店、デュプリケータ工場等所望の場所に設置されＰＣあるいは専用端末等である生産操作端末２と、記録媒体にメディアコンテンツを書き込むとともに記録媒体表面にレーベルデータを印刷するパッケージメディア製造装置３０２を備えてなる。センターサーバ４、生産操作端末２、パッケージメディア製造装置３０２は、インターネット等のネットワーク、専用回線、あるいはケーブルにより情報伝達可能に接続されている。さらに、本発明のシステム１１において、メディアコンテンツのデータベース化段階とコンテンツホルダーへ、パッケージメディアの製造枚数等の情報をフィードバックするフィードバック段階もシステムの一部として構築する場合には、コンテンツホルダーからメディアコンテンツファイルを送信するコンテンツ提供端末９とフィードバックデータを受け付けるコンテンツホルダー端末（不図示）も構成に加わる。尚、それぞれの装置を設置する場所は上述した場所に限定されるものではなく、生産操作端２およびパッケージメディア製造装置３とセンターサーバ４を販売店等同一個所に設置してもよいし、生産操作端末２およびパッケージメディア製造装置３とセンターサーバ４を異なる場所に設置してネットワーク接続してもよい。
【００３９】
センターサーバ４には、ＣＰＵ、ＲＡＭ等が搭載されている。また、センターサーバ４に格納あるいは情報伝達可能な状態にあるストレージデバイスとしてのハードディスクドライブに音声および／または映像コンテンツを含むイメージファイル化されてなるメディアコンテンツとしてのコンテンツデータが蓄積されてなるコンテンツデータベース（ＤＢ１）、記録媒体の表面に印刷される文字・図形等の画像データであるレーベルデータが蓄積されてなるレーベルデータベース（ＤＢ２）あるいは必要に応じて設けられるジャケットシートの表面に印刷される文字・図形等の画像データであるジャケットデータが蓄積されてなるジャケットデータベース（ＤＢ３）等のデータベース群５が構築されている。生産操作端末２から伝達される指示に基づいて、ＣＰＵの制御によりデータベースよりコンテンツを抽出してパッケージメディア製造装置４へ伝達するようになっている。
【００４０】
生産操作端末２は、キーボード等の入力手段、モニター、センターサーバ４への伝達手段を備えてなるコンピュータである。産操作端末２は、モニターにセンターサーバ４に蓄積されているメディアコンテンツのリストを表示するようになっており、入力者はこのリストから所望のタイトルと所望の記録媒体を選択して入力することができるようになっている。生産操作端末２は、パッケージメディア製造装置３０２を通じてサーバ４にまたは、直接サーバ４に接続されている。
【００４１】
図７に示すパッケージメディア製造装置３０２は、記録媒体であるＤＶＤ６およびＢＤ８の搬送制御、コンテンツデータの書き込み制御等を行うＣＰＵ等を備えた制御装置としてのコントロール端末３０と、センターサーバ４からダウンロードされるメディアコンテンツ、レーベルデータ等を記憶するＨＤＤやメモリ等の記憶装置(不図示)と、データ書き込み前のブランク状態のＤＶＤ６およびＢＤ８を収納するブランクディスク収納部３２と、データ書き込み後のＤＶＤ６およびＢＤ８を排出し収納する完成ディスク収納部３５と、ＤＶＤ６およびＢＤ８をブランクディスク収納部３２からデータ書き込み位置、完成ディスク収納部３５へ搬送する搬送手段(不図示)と、ＤＶＤ６に対してデータ書き込みを行う光学ＤＶＤヘッド３４と、ＢＤ８に対してデータ書き込みを行う光学ＢＤヘッド３６とを備えてなるＤＶＤ/ＢＤデュプリケータ３８と、ＤＶＤ/ＢＤデュプリケータ３８と情報伝達可能に接続されジャケットシートにジャケットデータを印刷するプリンタ３９を備えている。尚、コントローラー端末３０とプリンタ３９はＤＶＤ/ＢＤデュプリケータ３８に組み込んでもよく装置の構成は多様である。光学ＤＶＤヘッド３４および光学ＢＤヘッド３６は、レーザ光を出力するためのレーザーダイオード、レンズ部などからなる光学書き込み部とディテクタ部を備えてなり、それぞれの記録媒体に適合する方式で書き込みを行うようになっている。また、パッケージメディア製造装置３には、ＩＳＯファイル化されたメディアコンテンツを記録媒体に書き込むためのライターソフト（Burnerソフト）をあらかじめ記憶領域にインストールしてあり、このライターソフトの制御によりメディアコンテンツの書き込みが行われる。以上がシステム１１に用いられる装置の説明である。
【００４２】
本発明のシステム１１の前提として、メディアコンテンツのデータベース化段階について説明する。このメディアコンテンツ等のデータベース化は、本発明のシステム１に付随するシステムとして自動で行うこともできるし、手動で行うことができることはいうまでもない。データベース化段階において、コンテンツホルダーから提供されるデータは、録音・録画済みの記録媒体の完成品を形成するオリジナルマスターデータからイメージファイル化された、具体的には、ＩＳＯイメージファイル化されたメディアコンテンツとしてのコンテンツデータ、記録媒体の表面に印刷されるレーベルデータ、ジャケットシートに印刷されるジャケットデータがセンターサーバ４のデータベース５に蓄積される。メディアコンテンツ、レーベルデータ、ジャケットデータには共通のメディアコンテンツＩＤが付与されていて、このＩＤに関連づけられてパッケージメディアを製造するためのコンテンツデータ一揃いが抽出されるようになっている。また、コンテンツデータには、コンテンツホルダー、監督名・出演者名・本編の時間・あらすじ毎のタグであって、メディアコンテンツ、レーベルデータ、あるいはジャケットデータを抽出するためのタグとなるメタデータが付与された状態で蓄積される。
【００４３】
次に図８に基づいてシステム１１の制御と動作について説明する。まず、生産操作端末２のメディアコンテンツ特定手段について説明する。このメディアコンテンツ特定手段は、入力手段により所望するタイトルと所望する記録媒体の種類（システム１１の場合には、ＤＶＤ６またはＢＤ８）が選択されると、このタイトルに対応するメディアコンテンツＩＤをセンターサーバ４に伝達する手段である。また、メディアコンテンツＩＤと所望する記録媒体をパッケージメディア製造装置３０２に伝達するようになっている。
【００４４】
センターサーバ４のＣＰＵの動作について説明する。ＣＰＵは、生産操作端末２からメディアコンテンツ特定手段で入力されたメディアコンテンツＩＤを受け付ける手段によりこのデータを受け付ける、このデータを受け付けたことをスタートとして、該データに含まれるメディアコンテンツＩＤに基づいて、メディアコンテンツデータベースよりメディアコンテンツデータを抽出する。また、同様に、レーベルデータベースよりレーベルデータを抽出する。そしてメディアコンテンツとレーベルデータをパッケージメディア製造装置３０２に伝達するようになっている。
【００４５】
次に、パッケージメディア製造装置３０２の動作について説明する。センターサーバ４からメディアコンテンツとしてのコンテンツデータがダウンロードされると、ダウンロードされたＩＳＯイメージ化されたコンテンツデータは、ＤＶＤ/ＢＤデュプリケータ３８のＨＤＤに一時的あるいは恒久的に保存される。また、レーベルデータもメモリに一時的あるいは恒久的に保存される。メディアコンテンツのダウンロード信号を入力信号として、あるいはコントロール端末３０からのスタート信号を入力信号として、記録媒体搬送手段が起動し、メディアコンテンツＩＤに対応する選択された種類の記録媒体（ＤＶＤ６またはＢＤ８）を収納部３２から搬出するとともに、記録媒体に対応する光学ヘッドのデータ書き込み位置に搬送し、書き込み制御手段を起動させ、ＨＤＤに記憶されたメディアコンテンツが抽出されてＤＶＤヘッド３４またはＢＤヘッド３６によりＤＶＤ６またはＢＤ８に書き込まれる。これと前後してあるいはこれと同時に書き込まれるメディアコンテンツとＩＤを同じくする（対になる）レーベルデータがメモリより抽出されてプリンタ３３によりＤＶＤ６またはＢＤ８の表面に印刷される。さらに、ジャケットデータがメモリに一時的あるいは継続的に保存されている場合には、コンテンツデータとメディアコンテンツＩＤを同じくし、コンテンツデータと対になるジャケットデータがメモリより抽出されて、プリンタ３９によりプリンタ３９にセットされたジャケットシート７に印刷されるようになっている。デュプリケータ工場あるいは販売店では、完成品のＤＶＤ６またはＢＤ８とジャケットシート７をセットにして完成品メディアパッケージとして消費者に提供する。生産操作端末２からセンターサーバ４に記録媒体の種類も特定されたメディアコンテンツの特定なされ、該記録媒体の種類も特定されたメディアコンテンツが抽出され伝達される。このときパッケージメディア製造装置の制御装置は、メディアコンテンツに含まれる記録媒体のＩＤを読み取ってメディアコンテンツに対応する方式のヘッドでデータ書き込みするようになっている。
【００４６】
（第４の実施の形態）
このシステムは、第１の実施の形態〜第３の実施の形態のシステムにおいて、生産操作端末２により特定されたＤＶＤデータ（またはＢＤデータ）が既にパッケージメディア製造装置３にダウンロードされている場合には、センターサーバ４より伝達しないようにしたものである。すなわち既にパッケージメディア製造装置に所望のＤＶＤのＤＶＤデータがダウンロードされている場合にはダウンロード済みのＤＶＤデータを書き込ませるようにしたものである。第４の実施の形態において核となるシステムは、上述の第１の実施の形態〜第３の実施の形態のパッケージメディア製造システムであるためこの部分については説明を省略する。
【００４７】
このシステムにおいて、センターサーバ４と情報伝達可能に接続されている履歴情報データベース（不図示）には、データベースからＤＶＤデータを抽出するごとに、あるいは、パッケージメディア製造装置３にＤＶＤデータを伝達する毎に、メディアコンテンツＩＤとパッケージメディア製造装置６の識別子であるデュプリケータＩＤが蓄積される。また、生産操作端末２のメディアコンテンツ特定手段は、特定されたタイトルのメディアコンテンツＩＤをパッケージメディア製造装置３を通じて、センターサーバ４に、またはセンターサーバ４に直接伝達する。センターサーバ４は、履歴情報データベース（不図示）にアクセスし、特定されたメディアコンテンツＩＤに対応するＤＶＤデータが、指定されたパッケージメディア製造装置３にダウンロードされたことの履歴があるか否かを問い合わせる。特定されたメディアコンテンツＩＤに対応するＤＶＤデータがパッケージメディア製造装置３に伝達された履歴がある場合には、ＤＶＤデータの抽出とパッケージメディア製造装置３へのＤＶＤデータ、レーベルデータ、ジャケットデータの伝達は行われない。特定されたメディアコンテンツＩＤに対応するＤＶＤデータがパッケージメディア製造装置３に伝達された履歴が無い場合にはパッケージメディア製造装置３へのＤＶＤデータ、レーベルデータ、ジャケットデータの伝達が行われるようになっている。尚、ここではＤＶＤを例に説明したが、記録媒体とメディアコンテンツの方式はこれに限られるものではなく、ＢＤやＨＶＤであってもよい。
【００４８】
（第５の実施の形態）
次に、本発明のシステムの第５の実施の形態である在庫確認手段と在庫データベースを付加したシステムについて説明する。第５の実施の形態において核となるシステムは、上述の第１の実施の形態〜第４の実施の形態のパッケージメディア製造システムであるためこの部分については説明を省略する。第５の実施の形態のシステムは第１の実施の形態のシステムにおけるセンターサーバ４において、生産操作端末２から受け付けたデータのうちメディアコンテンツを抽出するものと、抽出しないものを選別する手段を設けたシステムである。
【００４９】
第５の実施の形態においてセンターサーバ４には、在庫データベース(不図示)が格納あるいは情報伝達可能な状態に接続されている。在庫管理データベースには、パッケージメディア毎の既に出来上がった完成品パッケージメディアのメディアコンテンツＩＤと在庫数が蓄積されている。センターサーバ４のＣＰＵは、この在庫データベースにアクセスして、生産操作端末２から受け付けたメディアコンテンツ特定データに対応するパッケージメディアの在庫が０（無し）であるか１（有り）であるかを演算する。さらに発展させたシステムにおいては、在庫データベースにパッケージメディアの在庫が所定数以下であるか以上であるかを演算する。センターサーバ４のＣＰＵは、在庫が０あるいは所定数以下であることを条件として、メディアコンテンツ抽出手段、レーベルデータ抽出手段、あるいはジャケットデータ抽出手段によりコンテンツデータを抽出し、コンテンツデータをパッケージメディア製造装置３に伝達するようになっている。尚、この在庫管理システムをセンターサーバ４に設ける例を説明したが在庫サーバと在庫データベースからなる独立したシステムをセンターサーバ４にネットワーク接続してもよい。
【００５０】
第５の実施の形態のシステムの変形例として、センターサーバ４のＣＰＵは、センターサーバ４のＣＰＵは、在庫が１あるいは所定数以上であることを条件として、在庫倉庫端末に発注指示を伝達する手段を付加するようにしてもよい。
【００５１】
（第６の実施の形態）
次に、本発明のシステムの第６の実施の形態であるフィードバック手段を付加したシステムについて説明する。第６の実施の形態において核となるシステムは、上述の第１乃至３の実施の形態におけるパッケージメディア製造システムであるためこの部分については説明を省略する。第６の実施の形態のシステムはシステム１におけるセンターサーバ４において、メディアコンテンツ抽出手段によりメディアコンテンツが抽出されたこと、あるいはメディアコンテンツがパッケージメディア製造装置３に伝達されたことを条件として、配信情報をコンテンツホルダー端末にフィードバックする手段が設けられている。
【００５２】
すなわち、メディアコンテンツには上述のように、コンテンツホルダーＩＤが関連づけられており、ＣＰＵは、メディアコンテンツ抽出手段によりメディアコンテンツが抽出されたことを信号として、あるいはメディアコンテンツがパッケージメディア製造装置３に伝達されたことを信号として、このメディアコンテンツに紐付けられたコンテンツホルダーＩＤよりコンテンツホルダー端末のアドレスを抽出し、このコンテンツホルダー端末に配信情報を伝達する。これにより、コンテンツホルダーは、著作権を有するメディアコンテンツのメディアパッケージ化を知ることができ、課金システム（不図示）に該データを反映させることができる。
【００５３】
さらに、メディアコンテンツデータベースに蓄積されるメディアコンテンツは暗号キーにより暗号化してもよい。これにより、コピーコントロールや生産管理ができるようになっている。具体的には、ＣＳＳ方式やＡＣＣＳ方式といったコントロール方式があるが、コンテンツホルダーは、暗号化されたメディアコンテンツの他に、ディスクキーとタイトルキーの対をディスクロード者に提供し、コンテンツ提供端末９からは暗号化されたメディアコンテンツの他、ディスクキーとタイトルキーがデータベースに蓄積される。そして、このディスクキーとタイトルキーとがパッケージメディア製造装置保有者にライセンスされ、メディアコンテンツは復号されて書き込みあるいは再生可能な状態になる。
【００５４】
また、図１０に示すように、パッケージメディア製造装置は、オペレーションキーを取得しないと作動しないようにしてもよい。パッケージメディア製造装置は書き込み毎に、オペレーションキーデータベース（不図示）より、オペレーションキーをダウンロードし、メディアコンテンツ書き込み動作を行うようにしてもよい。この場合、オペレーションキーの取得をカウントする機能を構築し、オペレーションキーのダウンロード数を蓄積し、この蓄積数を著作権管理団体への焼き付け枚数として報告するようにしてもよい。
【００５５】
尚、本実施の形態においては、生産操作端末、パッケージメディア製造装置、センターサーバが一つのコアとなるシステムの例を挙げて説明したが、一つのセンターサーバに複数の生産操作端末とパッケージメディア製造装置を接続し、複数のアライアンス販売店からアクセス可能としてもよい。一方、図１１に示すように、コンテンツ提供端末、生産操作端末、パッケージメディア製造装置、センターサーバを一つの販売店に設置される小規模なシステムとして構築し、販売店にあるマスターＤＶＤやマスターＢＤからコンテンツメディアをデータベースに蓄積し、これを必要に応じてパッケージメディア製造装置で焼き増しして提供することもできる。
【００５６】
また、本実施の形態において記録媒体は、ＤＶＤとＢＤを例に説明したが、ＨＶＤなど他の種類の記録媒体であってもよい。また、記録媒体には、個々の記録媒体を特定するシリアル番号を記録しトレーサビリティーに役立てるようにしてもよい。
【符号の説明】
【００５７】
１  パッケージメディア製造装置を用いたパッケージメディア受注・製造システム
２  生産操作端末
３  パッケージメディア製造装置
４  サーバ
５  データベース群
６  ＤＶＤ
７  ジャケットシート
８  ＢＤ
９  コンテンツ提供端末
１０パッケージメディア製造装置を用いたパッケージメディア受注・製造システム
１１パッケージメディア製造装置を用いたパッケージメディア受注・製造システム
【図２】
0005300878.tif 000002
【図３】
0005300878.tif 000003
【図４】
0005300878.tif 000004
【図７】
0005300878.tif 000005
【図８】
0005300878.tif 000006
【図１】
0005300878.tif 000007
【図５】
0005300878.tif 000008
【図６】
0005300878.tif 000009
【図９】
0005300878.tif 000010
【図１０】
0005300878.tif 000011
【図１１】
0005300878.tif 000012